(57)【要約】【課題】  操作性を維持しつつより低コストに実施できる宿便の排出に好適な排便器具を提供する。【解決手段】  便Ｂの排出路２ａを有する筒体２の先端部に液体Ｗを直腸内の便へ向けて噴水する噴水口２ｂを開口し、同噴水口２ｂに液体Ｗを送水する液路２ｃを筒体２の筒壁内に形成し、同液路２ｃに温水タンク４の液体Ｗを給水する加圧給水ポンプ３を給水チューブ４で筒体２と脱着自在に接続し、筒体２の排出路２ａと連通する吸引チューブ７で吸引ポンプ７と接続し、筒体２の後端部に筒体２内を通じて取り込まれた便を収容する収容袋８を取り付けた。【選択図】図１
2006034577.tif 000002
【特許請求の範囲】
【請求項１】
肛門から挿入される筒体の先端部に液体を前方へ噴水する噴水口を開口し、同噴水口に液体を送水する液路を設け、筒体の内部を直腸から取り込まれた便の排出路とし、筒体の後端部に排出された便を収容する便収容手段を設け、先端からの噴水により便を破砕させて円滑に排出できるようにした排便器具。
【請求項２】
液路を筒体の筒壁に沿って形成し、同液路の基端部に液体を加圧により送水する加圧給水手段を脱着自在に設けた請求項１記載の排便器具。
【請求項３】
便収容手段が、筒体の後端部に収容袋を取り付けたものである請求項１又は２記載の排便器具。
【請求項４】
筒体の外周に肛門を含むその周囲を覆う面積の防水シートを取り付け、同防水シートの肛門側面に同シートを肛門周囲の肌面に密着させる剥離紙付きの粘着層を設け、同粘着層の防水シート面に肛門周囲を囲むように配置される吸収パッドを取り付け、便が外部へ漏出しないようにした請求項１〜３いずれか記載の排便器具。
【請求項５】
防水シートの密着面の外周部に筒体の先端部を覆って閉塞する剥離紙付きの閉塞粘着部を設けた請求項４記載の排便器具。
【請求項６】
防水シートの密着面側の閉塞粘着部の内側に吸収性の拭取パッドを取り付けた請求項５記載の排便器具。
【発明の詳細な説明】
【技術分野】
【０００１】
本発明は、直腸内の宿便の強制排出、自己排便力の弱い人又は失われた人（高齢者，身障者）の排便補助に用いる排便器具に関する。
【背景技術】
【０００２】
従来、直腸内の宿便の強制排出等に用いる排便器具が特許文献１に開示されている。この技術は、肛門から挿入される筒体の先端に腸壁を保護する保護体を拡縮自在に取付け、保護体の内面に向けて噴水する噴水ノズルを設け、筒体の内部通路を吸引ポンプと接続し、噴水により直腸内の便を軟化・破砕して吸引ポンプで筒体内を通じて体外へ排出できるようにしている。近年では操作性をそのままにより低コストで実施できる排便器具が求められており、本発明はそのような事情に鑑みて成されたものである。
【特許文献１】特開２００１−１３７３３３号公報
【発明の開示】
【発明が解決しようとする課題】
【０００３】
本発明が解決しようとする課題は、従来のこれらの問題点を解消し、宿便等の排出処置において、操作性を維持しつつより低コストに実施できる排便器具を提供することにある。
【課題を解決するための手段】
【０００４】
かかる課題を解決した本発明の構成は、
１）  肛門から挿入される筒体の先端部に液体を前方へ噴水する噴水口を開口し、同噴水口に液体を送水する液路を設け、筒体の内部を直腸から取り込まれた便の排出路とし、筒体の後端部に排出された便を収容する便収容手段を設け、先端からの噴水により便を破砕させて円滑に排出できるようにした排便器具
２）  液路を筒体の筒壁に沿って形成し、同液路の基端部に液体を加圧により送水する加圧給水手段を脱着自在に設けた前記１）記載の排便器具
３）  便収容手段が、筒体の後端部に収容袋を取り付けたものである前記１）又は２）記載の排便器具
４）  筒体の外周に肛門を含むその周囲を覆う面積の防水シートを取り付け、同防水シートの肛門側面に同シートを肛門周囲の肌面に密着させる剥離紙付きの粘着層を設け、同粘着層の防水シート面に肛門周囲を囲むように配置される吸収パッドを取り付け、便が外部へ漏出しないようにした前記１）〜３）いずれか記載の排便器具
５）  防水シートの密着面の外周部に筒体の先端部を覆って閉塞する剥離紙付きの閉塞粘着部を設けた前記４）記載の排便器具
６）  防水シートの密着面側の閉塞粘着部の内側に吸収性の拭取パッドを取り付けた前記５）記載の排便器具
にある。
【発明の効果】
【０００５】
本発明では、筒体を肛門から挿入して液体を加圧給水手段で送水する。液体は筒体の液路を通じて噴水口から噴水し、直腸内の便が噴水により軟化又は破砕して排出され易くなる。従って、従来と比較して拡縮自在な保護体等を不要にできるから操作性はそのままにより簡易な構造にして低コストで処置が実施できるようになる。
【発明を実施するための最良の形態】
【０００６】
本発明の液路は筒体の筒壁に沿って形成されるが、筒壁の内部を貫通して一体的又は別体のチューブ状のものを取着する。噴水口は直腸内の便を効率的に破砕させるために便を取り囲むように対向して２〜４箇所ほど開口される。液体は体温に近い温度の温水が一般的に用いられるが、その他便を容易に軟化・破砕できるものであれば採用でき、直腸を刺激して排便を促す薬剤を混入させてもよい。
【０００７】
便収容手段としては非透水性の収容袋が低コストで好ましく用いられるが、その他ポンプ等を備えた回収装置を用いてもよい。便の排出は液体で破砕後、直腸の腸圧により液体とともに排出されるが、腸圧が不足して上手く排出されない場合は、ポンプ等による吸引器具を取り付けて筒体内を負圧にすることにより排出を補助してもよい。以下、本発明の実施例を図面に基づいて具体的に説明する。
【実施例１】
【０００８】
図１は実施例の排便器具の横断面図、図２は実施例の排便器具の正面図、図３，４は実施例の排便器具の使用状態を示す説明図である。図中、１は排便器具、２は筒体、２ａは排出路、２ｂは噴水口、２ｃは液路、２ｄは把手、３は加圧給水ポンプ、４は給水チューブ、５は温水タンク、６は吸引チューブ、７は吸引ポンプ、８は収容袋、９は防水シート、９ａは粘着層、９ｂは剥離紙、９ｃは吸収パッド、９ｄは閉塞粘着部、９ｅは拭取パッド、Ｂは便、Ｈは直腸、Ｗは液体である。
【０００９】
実施例の排便器具１は、図１，２に示すように便Ｂの排出路２ａを有する筒体２の先端部に液体Ｗを直腸Ｈ内の便Ｂへ向けて噴水する噴水口２ｂを開口し、同噴水口２ｂに液体Ｗを送水する液路２ｃを筒体２の筒壁内に形成し、同液路２ｃに温水タンク４の液体Ｗを給水する加圧給水ポンプ３を給水チューブ４で筒体２と脱着自在に接続し、筒体２の排出路２ａと連通する吸引チューブ６で吸引ポンプ７と接続し、筒体２の後端部に筒体２内を通じて取り込まれた便Ｂを収容する収容袋８を取り付けている。
【００１０】
筒体２の外周には、肛門及びその周囲を覆う面積の可撓性を有する着色の防水シート９を取り付け、防水シート９の片面に同シート９を肛門周囲に脱着自在に密着させる環状の粘着層９ａを設け、防水シート９の密着面の肛門周囲位置に環状の吸収パッド９ｃを取り付け、同吸収パッド９ｃの外周に環状の閉塞粘着部９ｄと吸収性の拭取パッド９ｅを設けている。
【００１１】
まず、被処置者の肛門に必要に応じて潤滑クリーム等を塗布して滑り易くした後、図３（ａ）に示すように筒体２の先端を肛門に挿入後、防水シート９を肛門周囲に展開して剥離紙９ｂを剥離した粘着層９ａを貼着する。
【００１２】
次に、加圧給水ポンプ３（例えば足踏み式）で適温にした温水タンク４内の液体Ｗを所要の圧力で圧送し、液体Ｗを筒体２の液路２ｃを通じて先端部の噴水口２ｂから直腸Ｈ内の便Ｂに向けて噴水させ、同時に吸引ポンプ７を作動させて筒体２の排出路２ａを負圧にする。
【００１３】
図３（ｂ），図４（ａ）に示すように、便Ｂはその液体Ｗの噴水により徐々に軟化あるいはその勢いで破砕し、腸圧とともに吸引ポンプ７による負圧で破砕した便Ｂが徐々に肛門から筒体２の排出路２ａへ吸引されるように排出され、排出路２ａを通じて収容袋８に収容される。これを所要時間継続して直腸Ｈ内の便Ｂを体外へ排出させていく。
【００１４】
その後、便Ｂの排出が終了すると、図４（ｂ）に示すように防水シート９を肛門から脱離し、肛門やその周囲の汚れを拭取パッド９ｅで拭き取り、剥離紙９ｂを剥離した閉塞粘着部９ｄで筒体２の先端部を閉塞して収容した便Ｂとともに廃棄する。このように、実施例では便Ｂの排出操作が従来と同様に容易であり、また極めて簡易な使い捨ての構造であるからより低コストで処置できる。
【産業上の利用可能性】
【００１５】
本発明の排便器具は、主として直腸内の宿便の強制排出に用いられるが、その他自己排便力の弱い人又は失われた人（高齢者，身障者）の排便補助にも用いることができる。
【図面の簡単な説明】
【００１６】
【図１】実施例の排便器具の横断面図である。
【図２】実施例の排便器具の正面図である。
【図３】実施例の排便器具の使用状態を示す説明図である。
【図４】実施例の排便器具の使用状態を示す説明図である。
【符号の説明】
【００１７】
１  排便器具
２  筒体
２ａ  排出路
２ｂ  噴水口
２ｃ  液路
３  加圧給水ポンプ
４  給水チューブ
５  温水タンク
６  吸引チューブ
７  吸引ポンプ
８  収容袋
９  防水シート
９ａ  粘着層
９ｂ  剥離紙
９ｃ  吸収パッド
９ｄ  閉塞粘着部
９ｅ  拭取パッド
Ｂ  便
Ｈ  直腸
Ｗ  液体
【図１】
2006034577.tif 000003
【図２】
2006034577.tif 000004
【図３】
2006034577.tif 000005
【図４】
2006034577.tif 000006